【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
直流電源（３）から与えられる電源電圧によって動作する電気装置（１０、２、２ｂ）と、
閉回路（２５）を構成する抵抗素子（３２）を有し、前記直流電源の電源電圧を前記電気装置に与えつつ、前記抵抗素子によって前記閉回路に流れる電流のうち交流成分を減衰させて前記閉回路における共振を抑制し、さらに前記抵抗素子が故障しているときでも前記直流電源の電源電圧を前記電気装置に与えるように構成されているフィルタ回路（３０）と、
前記抵抗素子の正極電極および負極電極の間の電圧、或いは前記抵抗素子を流れる電流を示す状態量を検出する状態量検出部（８２、８３）と、
前記状態量検出部により検出される状態量に基づいて、前記抵抗素子が故障しているか否かを判定する故障判定部（１０４）と、
を備える電気システム。
【請求項２】
前記状態量検出部は、前記抵抗素子を流れる電流値を示す前記状態量を検出し、
前記故障判定部は、前記状態量検出部の検出値が所定範囲から外れているか否かを判定することにより、前記抵抗素子が故障しているか否かを判定する請求項１に記載の電気システム。
【請求項３】
電流検出部（８１）と、
算出部（１０２）と、を備え、
前記電気装置は、前記直流電源からの電源電圧に基づいて交流電動機（２）に交流電流を流すインバータ回路（１０）を備え、
前記電流検出部は、前記インバータ回路から前記交流電動機に流れる交流電流を検出し、
前記算出部は、前記電流検出部により検出される交流電流に基づいて前記所定範囲を算出し、
前記故障判定部は、前記算出部で算出される前記所定範囲から、前記状態量検出部の検出値が外れているか否かを判定することにより、前記抵抗素子が故障しているか否かを判定する請求項２に記載の電気システム。
【請求項４】
前記電気装置は、前記直流電源からの電源電圧が与えられる正極電極（１１）および負極電極（１２）を備え、
前記フィルタ回路は、前記直流電源の正極電極と前記電気装置の正極電極との間に配置されている電磁コイル（３１）を備え、
前記抵抗素子が故障しているとき前記直流電源からの電源電圧が前記電磁コイルを通して前記電気装置に与えられるように前記フィルタ回路が構成されている請求項１ないし３のいずれか１つに記載の電気システム。
【請求項５】
前記抵抗素子は、前記直流電源と前記電気装置との間に接続されている請求項４に記載の電気システム。
【請求項６】
前記電気装置の前記正極電極および前記負極電極の間に配置されて、前記直流電源からの電源電圧を平滑する平滑コンデンサ（２０）を備え、
前記抵抗素子は、前記電気装置の前記正極電極および前記負極電極の間にて前記平滑コンデンサに直列に接続されている請求項４に記載の電気システム。
【請求項７】
平滑コンデンサ（２０）と、
電圧変動量算出部（１０２ａ）と、を備え、
前記電気装置は、前記直流電源からの電源電圧が与えられる正極電極（１１）および負極電極（１２）を備え、
前記平滑コンデンサは、前記電気装置の前記正極電極および前記負極電極の間に配置されて、前記直流電源からの電源電圧を平滑し、
前記抵抗素子は、前記電気装置の前記正極電極および前記負極電極の間にて前記平滑コンデンサに直列に接続されており、
前記状態量検出部は、前記抵抗素子の正極電極および負極電極の間の電圧を示す前記状態量を検出し、
前記電圧変動量算出部は、前記状態量検出部によって検出される前記状態量に基づいて、前記抵抗素子の正極電極および負極電極の間の電圧の変動量を算出し、
前記故障判定部は、前記電圧変動量算出部の算出値が所定範囲から外れているか否かを判定することにより、前記抵抗素子が故障しているか否かを判定する請求項１に記載の電気システム。
【請求項８】
平滑コンデンサ（２０）と、
電圧変動量算出部（１０２ａ）と、を備え、
前記電気装置は、前記直流電源からの電源電圧が与えられる正極電極（１１）および負極電極（１２）を備え、
前記状態量検出部は、前記電気装置の前記正極電極および前記負極電極の間の電圧を示す状態量を検出し、
前記電圧変動量算出部は、前記状態量検出部の検出値に基づいて、前記電気装置の前記正極電極および前記負極電極の間の電圧の変動量を算出し、
前記平滑コンデンサは、前記電気装置の前記正極電極および前記負極電極の間に配置されて、前記直流電源からの電源電圧を平滑し、
前記抵抗素子は、前記電気装置の前記正極電極および前記負極電極の間にて前記平滑コンデンサに直列に接続されており、
前記故障判定部は、前記電圧変動量算出部の算出値が所定範囲から外れているか否かを判定することにより、前記抵抗素子が故障しているか否かを判定する請求項１に記載の電気システム。
【請求項９】
前記故障判定部が前記抵抗素子が正常であると判定したとき、前記電気装置を動作させる通常制御部（１０５）を備える請求項１ないし８のいずれか１つに記載の電気システム。
【請求項１０】
前記通常制御部が前記電気装置を動作させているときに、前記状態量検出部が前記抵抗素子の前記状態量を検出する請求項９に記載の電気システム。
【請求項１１】
パルス制御部（１１０）を備え、
前記電気装置は、前記直流電源から与えられる電源電圧に基づいてパルス電圧を出力させるパルス発生回路（１０）を構成し、
前記パルス制御部が前記閉回路で共振を発生させるトリガーとしてのパルス電圧を前記パルス発生回路から出力させるように前記パルス発生回路を制御したとき、前記状態量検出部は、前記抵抗素子の前記状態量を検出する請求項１ないし９のいずれか１つに記載の電気システム。
【請求項１２】
前記電気装置を起動させる起動制御部（１１４）を備え、
前記起動制御部が前記電気装置を起動させるに先だって、前記パルス制御部が前記トリガーとしてのパルス電圧を前記パルス発生回路から出力させるように前記パルス発生回路を制御する請求項１１に記載の電気システム。
【請求項１３】
前記電気装置が停止しているか否かを判定する停止判定部（２１０）を備え、
前記停止判定部が前記電気装置が停止していると判定したとき、前記パルス制御部が前記トリガーとしてのパルス電圧を前記パルス発生回路から出力させるように前記パルス発生回路を制御する請求項１１に記載の電気システム。
【請求項１４】
直流電源（３）から与えられる電源電圧によって動作する電気装置（１０、２、２ｂ）と、
閉回路（２５）を構成する抵抗素子（３２）を有し、前記直流電源の電源電圧を前記電気装置に与えつつ、前記抵抗素子によって前記閉回路に流れる電流のうち交流成分を減衰させて前記閉回路における共振を抑制し、さらに前記抵抗素子が故障しているときでも前記直流電源の電源電圧を前記電気装置に与えるように構成されているフィルタ回路（３０）と、
前記抵抗素子が故障しているか否かを判定する故障判定部（１０４）と、
を備え、
前記電気装置は、前記直流電源からの電源電圧が与えられる正極電極（１１）および負極電極（１２）を備え、
前記フィルタ回路は、前記直流電源の正極電極と前記電気装置の正極電極との間に配置されている電磁コイル（３１）を備え、
前記抵抗素子が故障しているとき前記直流電源からの電源電圧が前記電磁コイルを通して前記電気装置に与えられるように前記フィルタ回路が構成されており、
前記抵抗素子は、前記直流電源と前記電気装置との間に接続されている電気システム。
【請求項１５】
前記抵抗素子が故障していると前記故障判定部が判定したとき、前記閉回路における共振を抑制するために前記電気装置の動作を制限する制限制御部（１０７）を備える請求項１ないし１４のいずれか１つに記載の電気システム。
【請求項１６】
前記電気装置は、第１電気装置であり、
当該電気システムは、前記電気装置の前記正極電極および前記負極電極の間に配置されて、前記直流電源からの電源電圧を平滑する平滑コンデンサ（２０）を備え、前記直流電源の正極電極および負極電極の間に前記第１電気装置と並列に配置されて、前記直流電源から与えられる電源電圧によって動作する第２電気装置（５０）を備える請求項１ないし１５のいずれか１つに記載の電気システム。
【請求項１７】
前記平滑コンデンサは、第１平滑コンデンサであり、
当該電気システムは、第２平滑コンデンサ（２１）を備え、
前記第２電気装置は、前記直流電源からの電源電圧が与えられる正極電極および負極電極を備え、
前記第２平滑コンデンサは、前記第２電気装置の正極電極および負極電極の間に配置されて、前記直流電源から与えられる電源電圧を平滑し、
前記閉回路は、前記第１平滑コンデンサおよび前記第２平滑コンデンサを含んで構成されている請求項１６に記載の電気システム。
【請求項１８】
前記第１電気装置は、前記直流電源の電源電圧に基づいて駆動する車両用電動圧縮機を構成し、前記第２電気装置は、前記直流電源の電源電圧に基づいて駆動する車両走行用電動機を構成する請求項１７に記載の電気システム。
【手続補正２】
【補正対象書類名】明細書
【補正対象項目名】００１２
【補正方法】変更
【補正の内容】
【００１２】
上記目的を達成するため、請求項１に記載の発明では、直流電源（３）から与えられる電源電圧によって動作する電気装置（１０、２、２ｂ）と、閉回路（２５）を構成する抵抗素子（３２）を有し、直流電源の電源電圧を電気装置に与えつつ、抵抗素子によって閉回路に流れる電流のうち交流成分を減衰させて閉回路における共振を抑制し、さらに抵抗素子が故障しているときでも直流電源の電源電圧を電気装置に与えるように構成されているフィルタ回路（３０）と、抵抗素子の正極電極および負極電極の間の電圧、或いは抵抗素子を流れる電流を示す状態量を検出する状態量検出部（８２、８３）と、状態量検出部により検出される状態量に基づいて、抵抗素子が故障しているか否かを判定する故障判定部（１０４）と、を備える。また、請求項１４に記載の発明では、直流電源（３）から与えられる電源電圧によって動作する電気装置（１０、２、２ｂ）と、閉回路（２５）を構成する抵抗素子（３２）を有し、前記直流電源の電源電圧を前記電気装置に与えつつ、前記抵抗素子によって前記閉回路に流れる電流のうち交流成分を減衰させて前記閉回路における共振を抑制し、さらに前記抵抗素子が故障しているときでも前記直流電源の電源電圧を前記電気装置に与えるように構成されているフィルタ回路（３０）と、前記抵抗素子が故障しているか否かを判定する故障判定部（１０４）と、を備え、前記電気装置は、前記直流電源からの電源電圧が与えられる正極電極（１１）および負極電極（１２）を備え、前記フィルタ回路は、前記直流電源の正極電極と前記電気装置の正極電極との間に配置されている電磁コイル（３１）を備え、前記抵抗素子が故障しているとき前記直流電源からの電源電圧が前記電磁コイルを通して前記電気装置に与えられるように前記フィルタ回路が構成されており、前記抵抗素子は、前記直流電源と前記電気装置との間に接続されている。
【手続補正３】
【補正対象書類名】明細書
【補正対象項目名】００１４
【補正方法】変更
【補正の内容】
【００１４】
請求項１５に記載の発明では、抵抗素子が故障していると故障判定部が判定したとき、閉回路における共振を抑制するために電気装置の動作を制限する制限制御部（１０７）を備える。